(57)【特許請求の範囲】
【請求項１】
機体の内部を清浄室とダスト室の上下２室に仕切る仕切板に、ブローパイプから吹き込まれる除塵エアーを取り入れる通気穴を設け、上記仕切板の底面側に沿設したフイルター用取付板の嵌込穴には、濾紙を用いて断面略星型の筒状に形成した消耗品のフイルター体と、このフイルター体の内部に挿入して補強する非消耗品のケージ体とによって構成したフイルター装置を、上から嵌め込んで取付けると共に、集塵運転によって上記フイルター体に捕集されたダストを、上記ブローパイプから上記通気穴を通してフイルター体内に吹き込まれる除塵エアーによって払い落とすように構成したパルスジェット式集塵機において、
上記フイルター装置を構成するフイルター体の上下両端口に、嵌込口を開口した上面プレートと、フイルター体の内部に向けて突出する内部充填体を一体に形成した底面プレートとを、夫々樹脂モールドによって同芯一体的に取付ける一方、上記ケージ体の上端面には、通気口を開口し、且つ、この通気口に連通させて除塵用の圧縮エアーが吹き込まれるベンチュリー管を下向きに突設したフイルタープレートを、樹脂モールドによって同芯一体的に取付けて、このケージ体を上記上面プレートの嵌込孔からフイルター体の内部に嵌込み、且つ、ケージ体の嵌込みによって上下に重なる上記フイルタープレートと上面プレートとの間、及び、上記開口した通気口の周囲にパッキンを設けると共に、上記フイルター用取付板をネジの締め付けに従って上記仕切板の底面側に水平状態に押圧するように構成して、当該フイルター用取付板の押圧により、フイルター用取付板の通気口に設けたパッキンを上記仕切板に設けた通気穴の底面側周囲に加圧密着し、且つ、上記フイルタープレートと上面プレートとの間に設けたパッキンを、これ等両プレートの間で上下から加圧挟持するように構成したことを特徴とするパルスジェット式集塵機用フイルター装置。
【発明の詳細な説明】
【０００１】
【発明の属する技術分野】
本発明は、集塵機に使用するフイルター装置に関するものであって、具体的には、フイルターに付着したダスト類を、フイルター内部に圧縮エアーを吹き込んで払い落すように構成したパルスジエット式集塵機に使用して好適なフイルター装置に関するものである。
【０００２】
【従来の技術】
パルスジエット式集塵機に使用するフイルター装置に関しては、例えば、特開平８−３８８３９号公報に見られるように、フイルターを消耗品である濾紙製のフイルター体と、このフイルター体の内部に挿入して補強する非消耗品のケージ体とそのパーツ類とに分割構成して、使用済みのフイルターを廃棄する時に、消耗品であるフイルター体のみを廃棄し、非消耗品のケージ体とそのパーツ類を再利用するように構成したものが存在する。
【０００３】
図８は、上記公報に記載されている従来のパルスジエット式集塵機用フイルター装置の構成を説明した分解斜視図であって、図中、２０は濾紙を用いて断面略星型の筒状に形成したフイルター体、２１と２４はこのフイルター体２０の上下両端に取付けられる上面と底面の各フイルタープレート、２２は上記フイルター体２０の内部に挿入して補強するケージ体で、このケージ体２２には上述した上面フイルタープレート２１と、このプレート２１に下向きに取付けた圧縮エアー吹き込み用のベンチュリー管２３と、フイルター体２０の内部容積を減少させる内部充填体２２′が設けられている。
【０００４】
これ等フイルター体２０とケージ体２２を用いてフイルター装置を組立てるには、先ず、ケージ体２２をフイルター体２０の内部２０Ｔに挿入して、上面と底面のフイルタープレート２１，２４をフイルター体２０の上端口２０Ａと下端口２０Ｂに当接する。次いで、ケージ体２２内に取付けたＴ型ボルト２５の先端ネジ部２５Ｂを底面フイルタープレート２４の挿通穴から突出して、これにナット２６を嵌めてＴ型ハンドル２５ＡでＴ型ボルト２５を締付け回転すれば、両プレート２１，２４がフイルター体２０の両端口２０Ａ，２０Ｂに押接され、且つ、フイルター体２０の内部２０Ｔにケージ体２２が一体的に取付けられたパルスジエット式集塵機用のフイルター装置を組立てることができ、また、上記Ｔ型ボルト２５の締付けを解いてナット２６を外せば、フイルター装置の全体を消耗品のフイルター体２０と、非消耗品のケージ体２２とそのパーツ類とに分割できる仕組に成っている。
【０００５】
【発明が解決しようとする課題】
ところが、以上の如く構成した従来のフイルター装置は、上述したようにフイルター体２０の上下両端口２０Ａ，２０Ｂに、上面と底面の各フイルタープレート２１，２４を挟むよう当接し、次いで、夫々パッキン（図示省略）を介在した状態でＴ型ボルト２５を締付け回転して一体化する構成であるため、フイルター体２０の両端部に於ける気密性が不完全であって、特に、フイルター体２０の濾紙はその全長が温度や湿度等に影響されて伸縮する結果、締付けによって押接したフイルタープレート２１，２４と両端口２０Ａ，２０Ｂの間に隙間が生じて気密性を失い、その隙間を通って濾過されていない汚染気流がフイルター室（ダスト室）から直接清浄室に流れ込んでしまう問題が発生していた。
【０００６】
更に上述した従来のフイルター装置は、パーツ類の数が多いため、その取扱いや組立て及び分解の各作業が煩雑化する問題があり、また、組立てと分解に当っては、その都度Ｔ型ボルト２５を締付け操作したり、緩め操作しなくてはならないため、益々組立てと分解の各作業が煩雑化してしまって、手軽に利用できない問題があった。
【０００７】
従って本発明の技術的課題は、組立て時に於ける気密性に優れ、且つ、部品数が少なくて組立てと分解の各作業を頗る簡単に行なえるように工夫したパルスジェット式集塵機用フイルター装置を提供することである。
【０００８】
【課題を解決するための手段】
上記の技術的課題を解決するために、本発明に係るパルスジェット式集塵機用フイルター装置は、機体の内部を清浄室とダスト室の上下２室に仕切る仕切板に、ブローパイプから吹き込まれる除塵エアーを取り入れる通気穴を設け、上記仕切板の底面側に沿設したフイルター用取付板の嵌込穴には、濾紙を用いて断面略星型の筒状に形成した消耗品のフイルター体と、このフイルター体の内部に挿入して補強する非消耗品のケージ体とによって構成したフイルター装置を、上から嵌め込んで取付けると共に、集塵運転によって上記フイルター体に捕集されたダストを、上記ブローパイプから上記通気穴を通してフイルター体内に吹き込まれる除塵エアーによって払い落とすように構成したパルスジェット式集塵機において、
上記フイルター装置を構成するフイルター体の上下両端口に、嵌込口を開口した上面プレートと、フイルター体の内部に向けて突出する内部充填体を一体に形成した底面プレートとを、夫々樹脂モールドによって同芯一体的に取付ける一方、上記ケージ体の上端面には、通気口を開口し、且つ、この通気口に連通させて除塵用の圧縮エアーが吹き込まれるベンチュリー管を下向きに突設したフイルタープレートを、樹脂モールドによって同芯一体的に取付けて、このケージ体を上記上面プレートの嵌込孔からフイルター体の内部に嵌込み、且つ、ケージ体の嵌込みによって上下に重なる上記フイルタープレートと上面プレートとの間、及び、上記開口した通気口の周囲にパッキンを設けると共に、上記フイルター用取付板をネジの締め付けに従って上記仕切板の底面側に水平状態に押圧するように構成して、当該フイルター用取付板の押圧により、フイルター用取付板の通気口に設けたパッキンを上記仕切板に設けた通気穴の底面側周囲に加圧密着し、且つ、上記フイルタープレートと上面プレートとの間に設けたパッキンを、これ等両プレートの間で上下から加圧挟持するように構成したことを特徴としている。
【０００９】
上記の手段によれば、パルスジェット式集塵機に使用するフイルター装置の全体を、消耗品のフイルター体と、このフイルター体の内部に挿入して補強する非消耗品のケージ体の２つの部材とによって構成する一方、嵌込穴を設けた上面プレートと、内部充填体を設けた底面プレートが、上記フイルター体の上下両端口に予め取付けられており、また、上記ケージ体の上端部にはベンチュリー管を突設したフイルタープレートが予め取付けられているため、フイルター体の内部にケージ体を挿入したり、これを引き抜いたりするだけで、フイルター装置の組立てと分解を容易に行なうことができるものであって、組立ててパルスジェット式集塵機に組付ける作業と、当該集塵機から取外したフイルター装置を、消耗品のフイルター体と非消耗品のケージ体とに分割する作業を極めて簡単に行なうことを可能にする一方、組立て時に上下に重なったケージ体側のフイルタープレートとフイルター体側の上面プレートとの隙間、及び、上面プレートと仕切板との隙間を、ネジの締め付け操作に従ってこれ等の間に介在したパッキンによって塞いで空気洩れを防止することを可能にする。
【００１０】
また、上記の手段によれば、フイルター体の上端口と上面プレートとの間と、フイルター体の下端口と内部充填体を一体形成した底面プレートとの間の夫々が、同芯一体的に樹脂モールドされているため、濾紙の変形等によって上端口と上面プレートの間や、下端口と底面プレートとの間に隙間が発生することがなく、完全密閉式で空気洩れのないフイルター装置を提供することを可能にする。
【００１１】
また、上記の手段によれば、フイルタープレートとケージ体の上端部を樹脂モールドによって同芯一体的に接合するため、このフイルタープレートに一体に設けられているベンチュリー管もケージ体に対して同芯一体的に構成できるものであって、フイルター体によって濾過された清浄空気をベンチュリー管を通して清浄室側へ支障無く送り出すことができるだけではなく、このベンチュリー管を通して吹き込まれて来る除塵用の圧縮エアーを、周囲のフイルター体に対して均等に噴射することを可能にする。
【００１２】
更に上記の手段によれば、ネジの締め付けによってフイルター用取付板を仕切板の底面側に押接することにより、フイルター用取付板の通気口の周囲に設けたパッキンを、仕切板に設けた通気穴の周囲に密着し、且つ、間にパッキンを介在した状態で上下に重なるフイルタープレートと上面プレートを上下から加圧挟持するため、これ等のパッキンが上下に重なる仕切板とフイルター用取付板の通気穴と通気口の間を気密に連通すると共に、フイルタープレートと上面プレートの間を気密に塞いで、両通気穴と通気口の間、及び、両プレート間からの空気洩れを防止することを可能にする。
【００１３】
【発明の実施の形態】
以下に、本発明に係るパルスジェット式集塵機用フイルター装置の実施の形態を図面と共に説明すると、図１は本発明が実施されたパルスジエット式集塵機の正断面図、図２はフイルター取付部の構造を分解して説明した斜視図、図３と図４は本発明のフイルター装置を取付ている状態と、取付けを完了した状態を説明した断面図、図５は本発明を構成するフイルター体の正断面図、図６は同じくケージ体の正断面図、図７は本発明の構造を説明した正断面図であって、図５乃至図７に示した各断面図に於いて、１１は濾紙を用いて断面略星型（図１乃至図４参照）の筒状に形成したフイルター体、１２はこのフイルター体１１の内部１１Ｈに挿入して補強するケージ体で、本発明に係るフイルター装置１０（図１乃至図４参照）は、これ等フイルター体１１とケージ体１２の組合せによって構成されるものである。
【００１４】
上記のフイルター体１１は、図５に示すように濾紙を用いて断面略星型の筒状に成形した濾筒体１１Ａの上端口に、中央に嵌込口１１Ｃを大きく開口し、且つ、その外周縁が取付時の鍔となるように構成した上面プレート１１Ｂを、樹脂成形（樹脂モールド）によって同芯一体的に取付ける一方、その下端口には、フイルター体１１の内部に向けて突出する内部充填体１１Ｆを一体形成した底面プレート１１Ｄを、同じく樹脂モールド１１Ｅによって同芯一体的に取付けた構造に成っていて、このフイルター体１１の全体は、フイルター装置の交換時に消耗品として使い捨てにされる仕組に成っている。
【００１５】
これに対して、図６に示したケージ体１２は、複数本の縦杆１２Ａ…とリング杆１２Ａ′…とによって、全体を略篭型に形成する一方、その上端部に、除塵用の圧縮エアーが吹き込まれるベンチュリー管１２Ｄを下向きに突設し、且つ、その中央部にベンチュリー管１２Ｄに連通する通気口１２Ｃを開口した合成樹脂製のフイルタープレート１２Ｂを、同じく樹脂モールド１２Ｅによって同芯一体的に取付けた構造に成っていて、このケージ体１２は非消耗品として繰り返し使用される仕組に成っている。
【００１６】
尚、上記のフイルタープレート１２Ｂとベンチュリー管１２Ｄを金属製と成し、これ等を板金加工等によって一体又は別々に造って、同じく金属で造った前記縦杆１２Ａ…の上端部を上記フイルタープレート１２Ｂに同芯一体的に熔接したり、或は、嵌合せたりすることによって、金属製のケージ体１２を組立てるようにしてもよく、その選択は任意とする。
【００１７】
以上の如く構成したフイルター体１１とケージ体１２を用いて本発明に係るフイルター装置１０を組立てるには、先ず、図７に示すようにケージ体１２を上面プレート１１Ｂの嵌込口１１Ｃを通してフイルター体１１の内部１１Ｈに嵌込み、次いで、この嵌込みによって上下に重なるフイルタープレート１２Ｂと上面プレート１１Ｂの間に、リング状に形成したパッキン１４を介在し、更に、フイルタープレート１２Ｂの上面を通気口１２Ｃを囲むように同じくリング状に形成したパッキン１３を取付けることによって、フイルター装置１０の組立てを完了する。
【００１８】
以上の如く組立てられたフイルター装置１０は、図１乃至図４に示すようにパルスジエット式集塵機に取付けられるものであって、以下に、そのパルスジェット式集塵機の構成をこれ等の図面と共に説明する。
【００１９】
図面中、１はパルスジェット式集塵機の機体で、２は含塵空気の吸込口、１Ｆは排気筒、３は機体１の内部をダスト室１Ａと清浄室１Ｂの２室に仕切る仕切板、４は清浄室１Ｂ内のファン室４Ｈに設けた吸塵ファンで、４Ｍはそのモータを示す。更に、１Ｔは引出し自在に構成したダストバケットで、図３と図４に於いて１Ｄはダスト室１Ａの側面に開口した作業口、１Ｅはこの口１Ｄを塞ぐ蓋板を示す。
【００２０】
また、６…は上記仕切板３に設けた通気穴で、７はこれ等各通気穴６…に対して除塵用のエアーを吹込むブローパイプ、７Ｈは除塵室、８と８Ａは除塵用の圧縮エアーを間欠的に供給するヘッダパイプとダイヤフラム弁を示す。更に、３Ａと３Ｂは上記仕切板３の底面に設けた左右一対の支持枠で、これ等支持枠３Ａ，３Ｂの間隔が後述する取付板の差込み通路３Ｈに成っており、且つ、両支持枠３Ａ，３Ｂの支持面は、差込まれる取付板を両側から持ち上げた状態で支持できるように相対向する断面略Ｌ字形に構成され、更にこれ等支持枠３Ａ，３Ｂと仕切板３の底面との上下間隔は、以下に述べるパッキンやプレート及びガイド縁を含むフイルター用取付板全体の厚味よりも幅広く構成されている。
【００２１】
９は上記支持枠３Ａ，３Ｂの間隔内、即ち、差込み通路３Ｈ内に差込自在に構成した上記のフイルター用取付板、９Ｄはこの取付板９に穿設したフイルター嵌込穴であって、この嵌込穴９Ｄに図７に示すように組立てられた本発明に係るフイルター装置１０が上から嵌込まれる仕組に成っている。
【００２２】
また、９Ａ，９Ａはフイルター用取付板９の左右両側縁を下方に直角に折り曲げて構成した上記のガイド縁で、フイルター用取付板９はこのガイド縁９Ａ，９Ａの底面と外側面を左右のＬ字形支持枠３Ａ，３Ｂにガイドされて、両支持枠３Ａ，３Ｂの間隔通路３Ｈに対して抜き差しされる仕組に成っている。更に、９Ｂ，９Ｂは両ガイド縁９Ａ，９Ａの先端部に形成したアール面で、９Ｅはフイルター用取付板９の根端部に上向きに曲げ起した折曲片を示す。
【００２３】
次に、３Ｃは上記各支持枠３Ａ，３Ｂの先端部を上方、即ち、仕切板３側に傾斜させて構成した傾斜面、５はこの傾斜面３Ｃの延長線上に位置し、且つ、傾斜面３Ｃと同じ角度（例えば３０度前後）を有する傾斜面を備えたブラケットであって、このブラケット５はダスト室１Ａの内部壁面に取付けられている。
【００２４】
以上の如く構成した各支持枠３Ａ，３Ｂの傾斜面３Ｃとブラケット５は、図３に示すように支持枠３Ａ，３Ｂの間に差込まれて来るフイルター用取付板９の左右のガイド縁９Ａ，９Ａの先端アール面９Ｂをガイドして、フイルター用取付板９の先端側を上面側に押上げる一方、先端アール面９Ｂがブラケット５に当ってその押込みが制止されると、図４に示すように前記フイルター装置１０…の各通気口１２Ｃが丁度通気穴６…の各底面口の位置に合致するように構成されている。
【００２５】
更に、３Ｄと９Ｃは上記仕切板３とフイルター用取付板９の各根端部に穿設したネジ穴で、上記取付板９の差込みがブラケット５によって制止されると、これ等ネジ穴３Ｄ，９Ｃも一緒に位置合せされる仕組に成っていて、図４に示すようにフイルター用取付板９のネジ穴９Ｃにネジ込んだ蝶ネジ１９の先端部を、仕切板３のネジ穴３Ｄにネジ込んで締付けることにより、フイルター用取付板９の全体を仕切板３の底面側に水平な状態で、而も、各フイルター装置１０のフイルタープレート１２に設けた通気口１２Ｃを囲むように取付けたパッキン１３を、仕切板３に設けた通気穴６の底面口の囲りに密着状態に押圧して、連通したこれ等通気穴６と通気口１２Ｃの間よりエアーが洩れが発生しないように構成している。
【００２６】
また、上記蝶ネジ１９の締付に際しては、仕切板３の底面とフイルター用取付板９の上面との間で、上下に重なった上記フイルター１０のフイルタープレート１２Ｂと上面プレート１１Ｂを上下から挟むようにして加圧するため、これ等両プレート１２Ｂ，１１Ｂの間に介在したパッキン１４（図３、図４、図７）が圧縮されて、両プレート１２Ｂ，１１Ｂ間の隙間を完全に密閉し、両プレート１２Ｂ，１１Ｂからのエアー洩れも確実に防止することができる。
【００２７】
【発明の効果】
以上述べた次第で、本発明に係るパルスジェット式集塵機用フイルター装置によれば、フイルター装置の全体を消耗品であるフイルター体と、非消耗品であるケージ体の２つの部材を用いて構成できるため、組立てと分解を極めて簡単に行なうことができるものであって、フイルターの交換時に於ける消耗品と非消耗品の分割と、非消耗品の再利用を容易に行なうことができる点、並びに、組立てたフイルター装置をパルスジェット式集塵機に組み付けるに当たって、連通状態にする仕切板の通気穴とフイルタープレート側の通気口との間を密着状態にしてエアー洩れを防止すると共に、フイルター装置の組立てによって上下に重なったフイルタープレートと上面プレートとの間からのエアー洩れも確実に防止することができる優れた気密性を備える点と相俟って、各種のパルスジエット式集塵機に使用して洵に好適なものである。
【図面の簡単な説明】
【図１】  本発明に係るフイルター装置を実施したパルスジエット式集塵機の構成を示した正断面図である。
【図２】  フイルター取付部の構造を分解して示した斜視図である。
【図３】  本発明に係るフイルター装置をパルスジェット式集塵機の仕切板に取付ける前の状態を説明した断面図である。
【図４】  本発明に係るフイルター装置をパルスジェット式集塵機の仕切板側に完全に取付けた状態を説明した断面図である。
【図５】  本発明を構成するフイルター体の正断面図である。
【図６】  本発明を構成するケージ体の正断面図である。
【図７】  本発明に係るフイルター装置の構成を説明した正断面図である。
【図８】  従来のフイルター装置の構成を分解して示した斜視図である。
【符号の説明】
１              パルスジエット式集塵機の機体
１Ａ            ダスト室
１Ｂ            清浄室
３              仕切板
６              通気穴
７              ブローパイプ
９              フイルター用取付板
９Ｄ            嵌込穴
１０            フイルター装置
１１            フイルター体
１１Ｂ          上面プレート
１１Ｄ          底面プレート
１１Ｅ          樹脂モールド
１１Ｆ          内部充填体
１２            ケージ体
１２Ｂ          フイルタープレート
１２Ｃ          通気口
１２Ｄ          ベンチュリー管
１２Ｅ          樹脂モールド
１３，１４      パッキン
１９            蝶ネジ
【図１】
0003667619.tif 000002
【図２】
0003667619.tif 000003
【図３】
0003667619.tif 000004
【図４】
0003667619.tif 000005
【図５】
0003667619.tif 000006
【図６】
0003667619.tif 000007
【図７】
0003667619.tif 000008
【図８】
0003667619.tif 000009